(57)【特許請求の範囲】
【請求項１】
２つの流入通路と少なくとも１つの第１の流出通路とを有するベースピースを収容するヘッドピースと、
回動可能に支持されるスピンドルを介して、回動不能に配置される通流ディスクに対して相対回動可能とされている制御ディスクを有するディスク制御部と、
を備え、取水用に第２の流出通路が配置されている、
衛生器具用の弁上側部分であって、
前記制御ディスク（３）に接続通路（３１）が設けられており、前記接続通路（３１）を介して第１の流入通路（５１）と前記第１の流出通路（５３）とが、前記通流ディスク（４）に対して相対的な前記制御ディスク（３）の一回動位置で接続可能であり、
前記通流ディスク（４）は、前記通流ディスク（４）の、前記制御ディスク（３）に対面した側に凹部（４４）を有し、前記凹部（４４）は、前記通流ディスク（４）の中心を取り巻く中央領域を少なくとも一方の側で周面（４５）に接続する、
ことを特徴とする、弁上側部分。
【請求項２】
前記接続通路（３１）は、円弧状に形成されている、請求項１に記載の弁上側部分。
【請求項３】
前記第２の流出通路は、前記ヘッドピース（１）に設けられた少なくとも１つの側方の窓（１１）により形成されており、前記制御ディスク（３）には、切欠き（３２）が設けられており、前記切欠き（３２）を介して第２の流入通路（５２）は、前記ヘッドピース（１）の前記側方の窓（１１）に、前記制御ディスク（３）の一回動位置で接続可能である、請求項１又は２に記載の弁上側部分。
【請求項４】
前記接続通路（３１）及び前記切欠き（３２）は、前記通流ディスク（４）に対して相対的な前記制御ディスク（３）の一回動位置で前記第１の流入通路（５１）が閉鎖されている一方、前記第２の流出通路（５４）が少なくとも部分的に前記第２の流入通路（５２）に接続されており、別の一回動位置では前記第１の流入通路（５１）と前記第２の流入通路（５２）とが閉鎖されているように、前記制御ディスク（３）に配置されている、請求項３に記載の弁上側部分。
【請求項５】
前記第２の流出通路（５４）は、前記第１の流出通路（５３）に対して付加的に前記ベースピース（５）に配置されており、前記制御ディスクには、２つの接続通路（３１）が設けられており、前記接続通路（３１）を介して前記第１の流入通路（５１）と前記第１の流出通路（５３）とは、前記通流ディスク（４）に対して相対的な前記制御ディスク（３）の一回動位置で接続可能であり、第２の流入通路（５２）と前記第２の流出通路（５４）とは、前記通流ディスク（４）に対して相対的な前記制御ディスク（３）の一回動位置で接続可能である、請求項１又は２に記載の弁上側部分。
【請求項６】
前記２つの接続通路（３１）は、前記通流ディスク（４）に対して相対的な前記制御ディスク（３）の一回動位置で前記第１の流入通路（５１）が閉鎖されている一方、前記第２の流出通路（５４）が少なくとも部分的に前記第２の流入通路（５２）に接続されており、別の一回動位置では前記第１の流入通路（５１）と前記第２の流入通路（５２）とが閉鎖されているように、前記制御ディスク（３）に配置されている、請求項５に記載の弁上側部分。
【請求項７】
前記凹部（４４）は、前記通流ディスク（４）の周面（４５）を、互いに間隔を置いて配置された２つの箇所で貫き、前記通流ディスク（４）の中央領域を通るように形成されている、請求項１から６までのいずれか１項に記載の弁上側部分。
【請求項８】
前記周面（４５）の、互いに間隔を置いて配置された２つの箇所は、互いに反対側に配置されている、請求項７に記載の弁上側部分。
【請求項９】
前記ヘッドピース（１）は、金属から製造されている、請求項１から８までのいずれか１項に記載の弁上側部分。
【請求項１０】
前記ヘッドピース（１）内に、前記スピンドル（２）の回動を所定の回動角に制限する２つのストッパ（１５）が配置されている、請求項１から９までのいずれか１項に記載の弁上側部分。
【請求項１１】
前記スピンドル（２）は、扇形の区分（２８）を有し、前記扇形の区分（２８）は、互いに角度をなして延びる２つの真っ直ぐな側面（２９）を有し、両前記側面（２９）は、前記ヘッドピース（１）のそれぞれ１つのストッパ（１５）に当接可能であり、これにより前記スピンドル（２）の回動角は、制限されている、請求項１０に記載の弁上側部分。
【請求項１２】
前記側面（２９）は、４５°の角度をなしており、前記スピンドル（２）の最大の回動角が４５°に制限されているように前記ヘッドピースの前記ストッパ（１５）と協働する、請求項１１に記載の弁上側部分。
【請求項１３】
請求項３から６までのいずれか１項に記載の、あるいは、請求項３から６までのいずれか１項を引用する請求項７から１２までのいずれか１項に記載の弁上側部分を収容する弁座を備える衛生器具であって、前記弁座（７）は、水道水流入接続部（７１）並びにフィルタモジュール流入接続部（７２）及びフィルタモジュール流出接続部（７３）を有し、前記水道水流入接続部（７１）は、前記弁上側部分の前記ベースピース（５）の前記第１の流入通路（５１）に、前記フィルタモジュール流入接続部（７２）は、前記弁上側部分の前記ベースピース（５）の前記第１の流出通路（５３）に、前記フィルタモジュール流出接続部（７３）は、前記弁上側部分の前記ベースピース（５）の前記第２の流入通路（５２）に接続されていることを特徴とする、衛生器具。
【発明の詳細な説明】
【技術分野】
【０００１】
本発明は、請求項１の上位概念部に記載の特徴を備える、衛生器具（Ｓａｎｉｔａｅｒａｒｍａｔｕｒ）用の弁上側部分に関する。
【背景技術】
【０００２】
衛生器具において頻用される弁上側部分には、制御ディスク及び通流ディスクを有するディスク制御部が配置されており、ディスク制御部は、スピンドルを介して操作可能であり、水の流出をスピンドルの回動を介して制御することができる。例えば下記特許文献１に記載されているようなこの種の交換可能な弁上側部分は、様々に構成された器具ハウジング内で使用可能である。器具から取り出される水は、水質を改善するために予めフィルタモジュールに供給されることが多くなっている。この場合、フィルタモジュールは、一般に弁上側部分の上流に接続されているため、フィルタモジュールには、連続的に水圧がかかっており、これにより、フィルタモジュールの耐久性は損なわれてしまう。
【先行技術文献】
【特許文献】
【０００３】
【特許文献１】独国実用新案第２０２００５００３１２７号明細書
【発明の概要】
【発明が解決しようとする課題】
【０００４】
この点について本発明は対策を講じるものであり、本発明の根底にある課題は、フィルタモジュールの中間接続を可能にする弁上側部分を提供することである。
【課題を解決するための手段】
【０００５】
本発明により上記課題は、請求項１の特徴部に記載の特徴により解決される。
【０００６】
本発明により、フィルタモジュールの中間接続を可能にする弁上側部分が提供されている。制御ディスクに凹部が設けられており、凹部を介して水道水流入部のための第１の流入通路と、フィルタモジュールのための流入部として使用可能な第１の流出通路とが、通流ディスクに対して相対的な制御ディスクの一回動位置で接続可能となっていることで、通流ディスクに対して相対的に制御ディスクを回動させて、第１の流入通路を閉鎖することにより、同時にフィルタモジュールへの水流入部も遮断されている。
【０００７】
外的な影響、特に温度変化及び／又は圧力変化に基づいて、フィルタモジュール内にある水が膨張し、意図せず器具を通して流出することが起こり得る。特に瞬間湯沸かし器（Ｄｕｒｃｈｌａｕｆｅｒｈｉｔｚｅｒ）でも知られるこの作用は、多くの利用者にとって煩わしく感じられてしまう。
【０００８】
このことを背景として、本発明の一態様において、第２の流出通路は、ヘッドピースに設けられた少なくとも１つの側方の窓により形成されており、制御ディスクには、通流通路が設けられており、通流通路を介して第２の流入通路（フィルタ水流入部）は、ヘッドピースの側方の窓に、制御ディスクの一回動位置で接続可能である。これにより、フィルタモジュールの流出部に接続可能な第２の流入通路（フィルタ水流入部）は、制御ディスクを介して閉鎖可能であり、これにより第２の流出通路あるいは器具からの意図しない水の流出は、防止されている。
【０００９】
本発明の択一的な態様において、第２の流出通路は、ヘッドピースに設けられた少なくとも１つの側方の窓により形成されており、制御ディスクには、通流通路が設けられており、通流通路を介して第２の流入通路は、ヘッドピースの側方の窓に、制御ディスクの一回動位置で接続可能である。これによっても、フィルタモジュールの流出部に接続可能な第２の流入通路は、制御ディスクを介して閉鎖可能であり、これにより第２の流出通路あるいは器具からの意図しない水の流出は、防止されている。
【００１０】
本発明の別の態様において、凹部及び通流通路あるいは両凹部は、通流ディスクに対して相対的な制御ディスクの一回動位置で第２の流入通路が閉鎖されている一方、第２の流出通路が少なくとも部分的に開放されており、別の一回動位置では第２の流入通路と第２の流出通路とが閉鎖されているように、制御ディスクに配置されている。これにより、水道水流入部の閉鎖後、制御ディスクが通流ディスクに対して相対的にさらに回動して、第２の流出通路も閉鎖されてしまう前に、第２の流出通路あるいは器具を介したフィルタモジュールの圧力補償が可能である。
【００１１】
本発明の一態様において、通流ディスクは、通流ディスクの、制御ディスクに対面した側に凹部を有し、凹部は、通流ディスクの中心を取り巻く中央領域を少なくとも一方の側で周面に接続する。これにより、制御ディスクと通流ディスクとの間に存在する異物残渣又は油分残渣の導出が実現されている。好ましくは、凹部は、通流ディスクの周面を、互いに間隔を置いて配置された２つの箇所、好ましくは互いに反対側に配置された２つの箇所で貫き、通流ディスクの中央領域を通るように形成されている。
【００１２】
本発明の一態様において、ヘッドピースは、金属、好ましくは黄銅から製造されている。これにより、器具に対する弁上側部分の予圧によるヘッドピースの変形は、長期的に防止されている。
【００１３】
さらに、上述の形態の弁上側部分を収容する弁座を備える衛生器具であって、弁座は、水道水流入接続部並びにフィルタモジュール流入接続部及びフィルタモジュール流出接続部を有し、水道水流入接続部は、弁上側部分のベースピースの第１の流入通路に、フィルタモジュール流入接続部は、弁上側部分のベースピースの第１の流出通路に、フィルタモジュール流出接続部は、弁上側部分のベースピースの第２の流入通路に接続されている、衛生器具も、本発明の対象である。弁上側部分の構成次第で、衛生器具は、弁上側部分のベースピース内に配置される第２の流出通路に接続されている取水接続部か、又は弁上側部分の側方の窓から流出する水のための側方の流出部として形成されている取水接続部を有していることができる。
【００１４】
本発明の別の形態及び態様は、その他の従属請求項に記載されている。本発明の一実施の形態を図面に示し、以下に詳細に説明する。
【図面の簡単な説明】
【００１５】
【図１】弁上側部分の概略図であり、ａ）は、部分縦断面図であり、ｂ）は、下面図である。
【図２】図１に示した弁上側部分のヘッドピースの概略図であり、ａ）は、縦断面図であり、ｂ）は、ａ）に示したＡ−Ａ横断面図である。
【図３】図１に示した弁上側部分のスピンドルの概略図であり、ａ）は、部分縦断面図であり、ｂ）は、下面図である。
【図４】図１に示した弁上側部分の制御ディスクを示す図であり、ａ）は、下面図であり、ｂ）は、上面図であり、ｃ）は、縦断面図である。
【図５】図１に示した弁上側部分の通流ディスクを示す図であり、ａ）は、下面図であり、ｂ）は、縦断面図であり、ｃ）は、上面図であり、ｄ）は、ｂ）の図示に対して９０°ずらした縦断面図である。
【図６】図１に示した弁上側部分のベースピースを示す図であり、ａ）は、上面図であり、ｂ）は、側面図であり、ｃ）は、ａ）に示したＡ−Ａ縦断面図である。
【図７】図６に示したベースピースのリップシールを示す図であり、ａ）は、上面図であり、ｂ）は、縦断面図である。
【図８】図７に示したリップシールの支持リングを示す図であり、ａ）は、上面図であり、ｂ）は、縦断面図である。
【図９】図１に示した弁上側部分の制御ディスク及び通流ディスク（ディスク制御部）を重ねて、ａ）は、水道水流入部及びフィルタ水流入部が閉鎖されている位置、ｂ）は、水道水流入部が閉鎖され、フィルタ水流入部が開放されている位置、ｃ）は、水道水流入部及びフィルタ水流入部が開放されている位置、で、それぞれ示す概略図である。
【図１０】図１に示した弁上側部分を収容する器具の弁座の概略図であり、ａ）は、縦断面図であり、ｂ）は、上面図である。
【図１１】中間接続されたフィルタモジュールとともに、図１０に示した弁座内での図１に示した弁上側部分の組み付け・接続状況を示す概略図である。
【図１２】別の実施の形態における弁上側部分の概略図であり、ａ）は、部分縦断面図であり、ｂ）は、下面図である。
【図１３】図１２に示した弁上側部分の制御ディスクを示す図であり、ａ）は、下面図であり、ｂ）は、上面図であり、ｃ）は、縦断面図である。
【図１４】択一的な実施の形態における図１２に示した弁上側部分の制御ディスクを示す図であり、ａ）は、下面図であり、ｂ）は、上面図であり、ｃ）は、縦断面図である。
【図１５】図１２に示した弁上側部分の通流ディスクを示す図であり、ａ）は、下面図であり、ｂ）は、縦断面図であり、ｃ）は、上面図であり、ｄ）は、ｂ）の図示に対して９０°ずらした縦断面図である。
【図１６】図１に示した弁上側部分のベースピースを示す図であり、ａ）は、上面図であり、ｂ）は、側面図であり、ｃ）は、ａ）に示したＡ−Ａ縦断面図である。
【図１７】図１３に示した制御ディスクとともに、図１２に示した弁上側部分の制御ディスク及び通流ディスク（ディスク制御部）を重ねて、ａ）は、水道水流入部及びフィルタ水流入部が開放されている位置、ｂ）は、水道水流入部が閉鎖され、フィルタ水流入部が開放されている位置、ｃ）は、水道水流入部及びフィルタ水流入部が閉鎖されている位置、で、それぞれ示す概略図である。
【図１８】図１４に示した制御ディスクとともに、図１２に示した弁上側部分の制御ディスク及び通流ディスク（ディスク制御部）を重ねて、ａ）は、水道水流入部及びフィルタ水流入部が開放されている位置、ｂ）は、水道水流入部が閉鎖され、フィルタ水流入部が開放されている位置、ｃ）は、水道水流入部及びフィルタ水流入部が閉鎖されている位置、で、それぞれ示す概略図である。
【図１９】図１２に示した弁上側部分を収容する、側方の流出部を有する器具の弁座の概略図であり、ａ）は、縦断面図であり、ｂ）は、上面図である。
【図２０】図１に示した弁上側部分を収容する、底側の流出部を有する器具の弁座の概略図であり、ａ）は、縦断面図であり、ｂ）は、上面図である。
【図２１】中間接続されたフィルタモジュールとともに、図１９又は図２０に示した弁座内での図１２に示した弁上側部分の組み付け・接続状況を示す概略図である。
【発明を実施するための形態】
【００１６】
実施の形態として選択した弁上側部分は、主としてヘッドピース１からなっている。ヘッドピース１は、ヘッドピース１内において半径方向で案内されるスピンドル２により中央を貫かれている。スピンドル２には、制御ディスク３が形状結合（ｆｏｒｍｓｃｈｌｕｅｓｓｉｇ：形状による束縛）を介して結合されており、制御ディスク３は、ヘッドピース１内において半径方向で案内されている。制御ディスク３の、スピンドル２から背離した側には、通流ディスク４が回動不能にヘッドピース１内に配置されている。ヘッドピース１には、ベースピース５が接続している。ベースピース５には、リップシール６が設けられており、リップシール６を介してベースピース５は、通流ディスク４及び弁座７に対してシールされている。これによりベースピース５は、軸方向で弁座７と通流ディスク４との間で「宙に浮いて」いる。
【００１７】
ヘッドピース１は、両端面が開放された対称の中空体からなっている。本実施の形態においてヘッドピース１は、黄銅旋削部材として製造されている。ヘッドピース１は、ベースピース５側にスリーブ状の部分１０を有している。スリーブ状の部分１０内には、対向するように２つの通流窓１１が配置されている。スリーブ状の部分の内側の端部側には、周囲を取り巻くように延びる係止溝１７が配置されており、係止溝１７は、ベースピース５に一体成形される係止突起を収容する。さらに端部側には、直径方向で相対するように２つの長方形の切欠き１８が設けられており、切欠き１８は、通流ディスク４の突起４６及びベースピース５の突起５５を収容する。
【００１８】
ヘッドピース１は、通流窓１１とは反対側の端部に、減径された区分１２を有している。減径された区分１２の内側には、周囲を取り巻くように延びる溝１３が形成されている。周囲を取り巻くように延びる溝１３を画定するように、その手前に、４分の３円形のランド１４が一体成形されている。ランド１４により２つの半径方向のストッパ１５が形成されている。ストッパ１５は、スピンドル２の回動を制限するために用いられる。内部には、減径された区分により、ランド１４に段部１６が形成されている。
【００１９】
スピンドル２は、実質的に中実に構成されている。スピンドル２は、ヘッドピース１から背離した端面の外側で多角柱部２１として構成されている。スピンドル２の外部には、続いて円筒面２２が設けられている。円筒面２２によりスピンドル２は、ヘッドピース１内において半径方向で案内されている。円筒面２２と多角柱部２１との間には、溝２３が設けられている。溝２３内には、スナップリングの形態の軸保持手段２４が、弾発作用をもって装入されている。軸保持手段２４は、スピンドル２がヘッドピース１内に所定量を超えて進入することを防止する。さらに円筒面２２は、２つのリング溝２５を有している。リング溝２５は、Ｏリング６１を収容する。スピンドル２の、多角柱部２１とは反対側には、ディスク２６が一体成形されている。ディスク２６は、多角柱部２１から背離した側に連行体２７を有している。連行体２７を囲むように、ディスク２６上には、高さの低い減径された段部２６１が、一体成形されている。円筒面２２とディスク２６との間において、スピンドルは、円セグメント状の区分２８を有している。円セグメント状の区分２８の真っ直ぐな側面２９は、４５°の角度をなしている。側面２９は、４分の３円形のランド１４により形成されたストッパ１５と協働して、スピンドル２の回動角を４５°に制限する。
【００２０】
制御ディスク３は、実質的に円形のセラミックディスクとして形成されており、このセラミックディスク内には、その外縁部に対して間隔を置いて、円弧状の凹部の形態の接続通路３１が設けられている。接続通路３１は、９０°の角度にわたって延在している。制御ディスク内には、通流通路３１とは反対側に、円セグメント状の扇形切欠き３２が設けられている。扇形切欠き３２は、軸方向で制御ディスク３の周面３３の略半分にわたって延在している。制御ディスク３は、スピンドル２に対面した側に、スピンドル２の連行体２７を収容する直方体状の係合部３４を有している。直方体状の係合部３４は、深さの浅い円筒状のくぼみ３５に囲まれており、くぼみ３５の内径は、スピンドル２のディスク２６の、このくぼみ３５により収容される段部２６１の外径に実質的に等しい。
【００２１】
通流ディスク４は、実質的に、制御ディスクと比較して遙かに薄い円形のセラミックディスクとして形成されており、このセラミックディスク内には、互いに間隔を置いて３つの孔４１，４２，４３が設けられている。通流ディスク４内には、制御ディスク３に対面した側に、深さの浅い通路状の凹部４４が設けられている。凹部４４は、通流ディスク４の中心を取り巻く中央領域を、互いに反対側に配置された２つの側において、周面４５に接続している。凹部は、周面４５に開口している（図５ａ）参照）。ヘッドピース１内に通流ディスク４を回動不能に固定すべく、通流ディスク４の側方には、直径方向で相対するように２つの長方形の突起４６が一体成形されており、突起４６は、ヘッドピース１の切欠き１８に係合する。
【００２２】
ベースピース５は、実質的に円形のディスクの形態で形成されている。ベースピース５内には、それぞれ、孔の形態で第１の流入通路５１及び第２の流入通路５２並びに第１の流出通路５３が設けられている。それらの中心軸線は、二等辺三角形を画定している。通路５１，５２，５３の両側には、通路５１，５２，５３を囲むようにベースピース５にそれぞれ環状のくぼみ５６が設けられており、くぼみ５６は、それぞれ１つのリップシール６を収容する。リップシール６は、それぞれ１つの支持リング６２を収容し、ベースピースを通流ディスク４及び器具の弁座７に対してシールする。ベースピース５の側方には、直径方向で相対するように２つの長方形の突起５５が一体成形されており、突起５５は、ヘッドピース１の切欠き１８に係合する。突起５５の側方には、さらに複数の係止突起５８が一体成形されており、係止突起５８は、ヘッドピース１の係止溝１７に係合する。これらの係止突起５８は、ベースピース５とヘッドピース１との間の係止結合を可能にする。ベースピース５には、ヘッドピース１から背離した下面に、さらに１つの位置決めピン５７が一体成形されており、位置決めピン５７は、器具の弁座７の、位置決めピン５７に対応する位置決め孔７５に係合する。
【００２３】
図１０は、前述の弁上側部分を収容する器具の弁座７を例示している。弁座７は、実質的に中空円筒状に形成されている。弁座７の上側の端部には、雌ねじ山７０が配置されており、雌ねじ山７０内には、弁上側部分を固定する図示しない固定リングがねじ込まれる。弁座７の底側には、水道水流入接続部７１と、フィルタモジュール流入接続部７２と、フィルタモジュール流出接続部７３とが開口している。それらの中心軸線は、二等辺三角形を画定している。さらに盲孔として形成された位置決め孔７５が設けられており、位置決め孔７５は、弁上側部分のベースピース５の位置決めピン５７を収容する。弁座７内には、側方より流出管路７６が開口している。流出管路７６は、収容される弁上側部分のヘッドピース１の通流窓１１と略同じ高さに配置されている。
【００２４】
図１１は、様々な閉鎖位置を略示している。水道水（矢印１）は、第１の遮断箇所Ｓ１を介してフィルタモジュール８に達し（矢印２）、フィルタモジュール８から（矢印３）第２の遮断箇所Ｓ２を介して器具の流出管路７６に達する。
【００２５】
図９は、スピンドル２を介して回動可能な制御ディスク３と、回動不能に配置される通流ディスク４とから形成されるディスク制御部の様々な位置を略示している。図９ａ）に示した位置では、ベースピース５の第１の流入通路５１に整合している通流ディスク４の第１の孔４１と、ベースピース５の第２の流入通路５２に整合している通流ディスク４の第２の孔４２とが、制御ディスク３に覆われている。水道水流入部（遮断箇所Ｓ１）とフィルタモジュール流出部８（遮断箇所Ｓ２）とは、閉鎖されている。水の通流は起こらない（閉鎖位置）。
【００２６】
図９ｂ）に示したディスク制御部の位置では、図９ａ）に示した位置に対して、ベースピース５の第２の流入通路５２に整合している通流ディスク４の第２の孔４２が、制御ディスク３の扇形切欠き３２により部分的に接続されており、これによりフィルタモジュール流出部は、開放されている（遮断箇所Ｓ２は、開放されている）。この位置では、フィルタモジュール流出部を介したフィルタモジュール８の圧力補償が、水道水流入部が同時に閉鎖されているときに可能である（圧力補償位置）。
【００２７】
図９ｃ）に示した位置では、ベースピース５の第１の流入通路５１に整合している第１の孔４１と、ベースピース５の第１の流出通路５３に整合している第３の孔４３とが、制御ディスク３の接続通路３１を介して接続されている。これにより水道水は、フィルタモジュール８に流入可能である（遮断箇所Ｓ１は、開放されている）。ベースピース５の第２の流入通路５２に整合している通流ディスク４の第２の孔４２も、制御ディスク３の扇形切欠き３２に接続されており（遮断箇所Ｓ２は、開放されており）、これによりフィルタモジュール８からヘッドピース１の通流窓１１を通した水道水の流出が可能であり、水道水は、その後、弁座７の流出管路７６に達する（開放位置）。
【００２８】
図１２は、別の実施の形態における弁上側部分を示している。本実施の形態は、前述の弁上側部分とは、制御ディスク３、通流ディスク４及びベースピース５の構成が異なる点で相違する。変更が加えられたこれらの構成部分について以下に詳細に説明する。変更が加えられた実施の形態の符号には、シングル又はダブルのアポストロフィを付した。
【００２９】
この別の実施の形態（図１３参照）に係る制御ディスク３’は、やはり実質的に円形のセラミックディスクとして形成されており、セラミックディスク内には、その外縁部に対して間隔を置いて、円弧状の凹部の形態の通流通路３１’が設けられている。制御ディスク３’には、接続通路３１’とは反対側に、円セグメント状の扇形切欠き３２’が設けられている。扇形切欠き３２’は、軸方向で制御ディスク３’の周面３３’の略半分にわたって延在している。図１に示した実施の形態と比較して、円セグメント状の扇形切欠き３２’は、遙かに大きく形成されている。扇形切欠き３２’は、本実施の形態では１２０°の角度にわたって延在している。制御ディスク３’の、スピンドル２に対面した側は、図１に示した制御ディスク３と同様に形成されている。
【００３０】
図１４は、図１２に示した弁上側部分のための制御ディスク３’の択一的な構成を示している。この制御ディスク３”の場合、円セグメント状の扇形切欠き３２’の代わりに、第２の接続通路３１”が直径方向で第１の接続通路３１”の反対側に配置されている。
【００３１】
通流ディスク４’は、実質的に、図１に示した実施の形態の通流ディスク４に応じて形成されているが、本実施の形態では、付加的な第４の孔４７’が設けられている。４つの孔４１’，４２’，４３’，４７’は、それらの中心点が正方形を画定するように配置されている。さらに凹部４４’は、この通流ディスク４’の場合、円形に形成されており、通流ディスク４’の、制御ディスク３’に対面した側の中央に配置されている（図１５参照）。
【００３２】
ベースピース５’は、やはり実質的に、図１に示した弁上側部分のベースピース５に応じて形成されており、通流ディスク４’の構成に応じて同様に付加的な孔が、第２の流出通路５４’として設けられている。両流入通路５１’，５２’と、両流出通路５３’，５４’とは、通流ディスク４’の４つの孔４１’，４２’，４３’，４７’に整合するように配置されている。
【００３３】
図１９及び図２０は、図１２に示した弁上側部分を収容する器具の弁座を例示している。図１９に示した弁座が実質的に、図１に示した弁上側部分を収容する図１０に示した前述の弁座に相当する一方、図２０に示した弁座では、側方の流出管路７６の代わりに、底側に付加的な水道水流出接続部７４が配置されている。
【００３４】
図１９に示した弁座内で図１２に示した弁上側部分を使用した場合、ベースピース５’の第２の流出通路５４’は、弁座７の底により遮断されている。水道水は、制御ディスク３’の、拡大されて形成された円セグメント状の扇形切欠き３２’を介して、弁上側部分のヘッドピース１の通流窓１１を通して、側方に配置された流出管路７６に達する。
【００３５】
図２０に示した弁座内で図１２に示した弁上側部分を使用した場合、弁上側部分のヘッドピース１の通流窓１１は、弁座７の側壁により遮断されており、ベースピース５’の第２の流出通路５４’は、弁座の底側の水道水流出接続部７４に直接接続されている。
【００３６】
図２１は、様々な閉鎖位置を略示している。水道水（矢印１）は、第１の遮断箇所Ｓ１を介してフィルタモジュール８に達し（矢印２）、フィルタモジュール８から（矢印３）第２の遮断箇所Ｓ２を介して、通流窓１１を通して器具の弁座７の流出管路７６に達する（破線の矢印）か、又はしかし、直接、底側の水道水流出接続部７４に達する（矢印４）。図１４に示した制御ディスク３”は、水道水流出接続部７４を介した水流出だけを可能にする。
【００３７】
図１７は、図１２に示した弁上側部分の、図１３に示した構成の制御ディスク３’と、回動不能に配置される通流ディスク４’とから形成されるディスク制御部の様々な位置を略示している。
【００３８】
図１７ａ）に示した位置では、ベースピース５’の第１の流入通路５１’に整合している第１の孔４１’と、ベースピース５の第１の流出通路５３’に整合している第３の孔４３’とが、制御ディスク３’の接続通路３１’を介して接続されており、これにより水道水は、フィルタモジュール８に流入可能である（遮断箇所Ｓ１は開放されている）。ベースピース５’の第２の流入通路５２’に整合している通流ディスク４’の第２の孔４２’も、制御ディスク３’の扇形切欠き３２’に接続されており（遮断箇所Ｓ２は、開放されており）、これによりフィルタモジュール８からの水道水の流出は、弁座７の構成次第で、ヘッドピース１の通流窓１１を通してか、又は水道水流出接続部７４に接続されるベースピース５’の第２の流出通路５４’を通して可能である（開放位置）。
【００３９】
図１７ｂ）に示したディスク制御部の位置では、図１７ａ）に示した位置に対して、ベースピース５’の第２の流入通路５２’に整合している通流ディスク４’の第２の孔４２’が、制御ディスク３’の扇形切欠き３２’に接続されており、これによりフィルタモジュール流出部は、開放されている（遮断箇所Ｓ２は、開放されている）。この位置では、フィルタモジュール流出部を介したフィルタモジュール８の圧力補償が、水道水流入部が同時に閉鎖されているときに可能である（圧力補償位置）。
【００４０】
図１７ｃ）に示したディスク制御部の位置では、ベースピース５’の第１の流入通路５１’に整合している通流ディスク４’の第１の孔４１’と、ベースピース５’の第２の流入通路５２’に整合している通流ディスク４’の第２の孔４２’とが、制御ディスク５’に覆われている。水道水流入部（遮断箇所Ｓ１）とフィルタモジュール流出部（遮断箇所Ｓ２）とは、閉鎖されている。水の通流は起こらない（閉鎖位置）。
【００４１】
図１８は、図１２に示した弁上側部分の、図１４に示した構成の制御ディスク３”と、回動不能に配置される通流ディスク４’とから形成されるディスク制御部の様々な位置を略示している。この場合、図１８ａ）〜ｃ）に示した位置は、図１７ａ）〜ｃ）に示した位置に相当し、図１８ａ）には、ベースピース５’の第２の流入通路５２’に整合している通流ディスク４’の第２の孔４２’が、制御ディスク３’の接続通路３１”を介して、ベースピース５’の第２の流出通路５４’に整合している第４の孔４７’に接続されており、これによりフィルタモジュールからの水道水の流出は、ベースピース５’の、水道水流出接続部７４に接続される第２の流出孔５４’を通してのみ可能である（開放位置）。図１８ｂ）では、ベースピース５’の第２の流入通路５２’に整合している通流ディスク４’の第２の孔４２’が、制御ディスク３”の接続通路３１”にあるいは接続通路３１”により接続される。
【符号の説明】
【００４２】
１  ヘッドピース、  ２  スピンドル、  ３  制御ディスク、  ４  通流ディスク、  ５  ベースピース、  ６  リップシール、  ７  弁座、  ８  フィルタモジュール、  １０  スリーブ状の部分、  １１  通流窓、  １２  減径された区分、  １３  周囲を取り巻くように延びる溝、  １４  ランド（３／４円形）、  １５  ストッパ、  １６  段部、  １７  係止溝（ベースピース用）、  １８  切欠き、  ２１  多角柱部、  ２２  円筒面、  ２３  溝、  ２４  軸保持手段、  ２５  リング溝、  ２６  ディスク、  ２６１  段部、  ２７  連行体、  ２８  円セグメント状の区分、  ２９  側面、  ３１  接続通路、  ３２  扇形切欠き、  ３３  周面、  ３４  係合部、  ３５  くぼみ、  ４１  第１の孔、  ４２  第２の孔、  ４３  第３の孔、  ４４  凹部、  ４５  周面、  ４６  突起、  ４７  第４の孔、  ５１  第１の流入通路、  ５２  第２の流入通路、  ５３  第１の流出通路、  ５４  第２の流出通路、  ５５  突起、  ５６  くぼみ、  ５７  位置決めピン、  ５８  係止突起、  ７０  雌ねじ山、  ７１  水道水流入接続部、  ７２  フィルタモジュール流入接続部、  ７３  フィルタモジュール流出接続部、  ７４  水道水流出接続部、  ７５  位置決め孔、  ７６  流出管路、  Ｓ１  第１の遮断箇所、  Ｓ２  第２の遮断箇所
【図１】
0006689097.tif 000002
【図２】
0006689097.tif 000003
【図３】
0006689097.tif 000004
【図４】
0006689097.tif 000005
【図５】
0006689097.tif 000006
【図６】
0006689097.tif 000007
【図７】
0006689097.tif 000008
【図８】
0006689097.tif 000009
【図９】
0006689097.tif 000010
【図１０】
0006689097.tif 000011
【図１１】
0006689097.tif 000012
【図１２】
0006689097.tif 000013
【図１３】
0006689097.tif 000014
【図１４】
0006689097.tif 000015
【図１５】
0006689097.tif 000016
【図１６】
0006689097.tif 000017
【図１７】
0006689097.tif 000018
【図１８】
0006689097.tif 000019
【図１９】
0006689097.tif 000020
【図２０】
0006689097.tif 000021
【図２１】
0006689097.tif 000022